(57)【要約】【課題】採光、通風、眺望を確保しつつも、プライバシーを確保することができる建物の設計方法及び建物を提供する。【解決手段】基本外郭２の出隅部２ｂを含む矩形状の欠損部５Ａ、又は、基本外郭２の隣接する一対の出隅部２ｂを含む矩形状の欠損部５Ｂ、又は、基本外郭２の外周の中間部を含む矩形状の欠損部２Ｃ、又は、基本外郭２の出隅部２ｂ及び入隅部２ｃを含むＬ字状の欠損部５Ｄを設定し、設定された欠損部５Ａ〜５Ｄを基本外郭２から取り除くと共に、欠損部５Ａ〜５Ｄに隣接する凹部壁９に開口部１０を設け、更に欠損部５Ａ〜５Ｄを覆うように袖壁８を設定する。【選択図】図２
2014214520.tif 000002
【特許請求の範囲】
【請求項１】
外形が多角形である基本床スラブと、前記基本床スラブの外周に沿って延在する外周壁とからなる基本外郭を設定する工程と、
前記基本外郭の出隅部を含む矩形状の欠損部、又は、前記基本外郭の隣接する一対の前記出隅部を含む矩形状の欠損部、又は、前記基本外郭の外周の中間部を含む矩形状の欠損部、又は、前記基本外郭の前記出隅部及び入隅部を含むＬ字状の欠損部を設定し、前記欠損部を前記基本外郭から取り除く工程と、
既存の前記外周壁から残存する残存外壁の端部に連接するように、且つ、前記残存外壁に対して同一直線上で外方に張り出す袖壁を設定する工程と、
既存の前記基本床スラブから残存する残存床スラブにおける前記欠損部に隣接する端縁に沿って、あるいは前記端縁から内側に後退させて、前記残存外壁に連続し前記残存外壁から内側に入り込んだ凹部壁を設定する工程と、
前記袖壁と直交する前記凹部壁に開口部を設定する工程と、を備えることを特徴とする建物の設計方法。
【請求項２】
前記凹部壁を設定する工程では、前記残存床スラブにおける前記欠損部に隣接する端縁から内側へ後退させて前記凹部壁を設定し、
前記袖壁を設定する工程では、前記袖壁を前記残存外壁の延在方向に沿って前記凹部壁から突設させるように前記袖壁を設定することを特徴とする請求項１に記載の建物の設計方法。
【請求項３】
前記開口部を設定する工程では、前記残存外壁に内接するように、且つ、凹部壁の略全高に亘って、前記開口部を設定することを特徴とする請求項１又は２に記載の建物の設計方法。
【請求項４】
前記残存床スラブの外形に対応した凹凸形状の外形を有する屋根を設定する工程を更に備えることを特徴とする請求項１〜３の何れか一項に記載の建物の設計方法。
【請求項５】
請求項１〜４の何れか一項に記載の建物の設計方法に基づいて設計され建築された建物。
【発明の詳細な説明】
【技術分野】
【０００１】
本発明は、基本外郭の一部を取り除き、取り除いたあとの端部に連接するように袖壁が設定された建物を設計する方法、及び建物に関する。
【背景技術】
【０００２】
例えば、建物本体の少なくとも一面に開口が設けられたインナータイプのバルコニーがある（例えば、特許文献１参照）。この特許文献１に記載のバルコニーでは、外周縁部に、バルコニーに隣り合う外方の空間とバルコニー上の空間とを遮断するスクリーンを設けることで、居室内のプライバシーを確保している。
【先行技術文献】
【特許文献】
【０００３】
【特許文献１】特開２００２−５４２２５号公報
【発明の概要】
【発明が解決しようとする課題】
【０００４】
例えば、都市部においては、狭隘な敷地内に高密度に建物を建築することが多い。このような建物では、採光、通風、眺望及びプライバシーの確保が求められている。しかしながら、上記の特許文献１に記載のバルコニー構造では、スクリーンによって採光、眺望が遮られてしまっていた。
【０００５】
本発明は、採光、通風、眺望を確保しつつも、プライバシーを確保することができる建物の設計方法及び建物を提供することを目的とする。
【課題を解決するための手段】
【０００６】
本発明は、外形が多角形である基本床スラブと、基本床スラブの外周に沿って延在する外周壁とからなる基本外郭を設定する工程と、基本外郭の出隅部を含む矩形状の欠損部、又は、基本外郭の隣接する一対の出隅部を含む矩形状の欠損部、又は、基本外郭の外周の中間部を含む矩形状の欠損部、又は、基本外郭の出隅部及び入隅部を含むＬ字状の欠損部を設定し、欠損部を基本外郭から取り除く工程と、既存の外周壁から残存する残存外壁の端部に連接するように、且つ、残存外壁に対して同一直線上で外方に張り出す袖壁を設定する工程と、既存の基本床スラブから残存する残存床スラブにおける欠損部に隣接する端縁に沿って、あるいは端縁から内側に後退させて、残存外壁に連続し残存外壁から内側に入り込んだ凹部壁を設定する工程と、袖壁と直交する凹部壁に開口部を設定する工程と、を備えることを特徴としている。
【０００７】
この建物の設計方法によれば、基本外郭の出隅部を含む矩形状の欠損部、又は、基本外郭の隣接する一対の出隅部を含む矩形状の欠損部、又は、基本外郭の外周の中間部を含む矩形状の欠損部、又は、基本外郭の出隅部及び入隅部を含むＬ字状の欠損部を設定し、設定された欠損部を基本外郭から取り除くと共に、欠損部に隣接する凹部壁に開口部を設け、更に欠損部を覆うように袖壁を設定することができる。これにより、採光、通風、眺望を確保しつつプライバシー確保することができる。
【０００８】
建物の設計方法において、凹部壁を設定する工程では、残存床スラブにおける欠損部に隣接する端縁から内側へ後退させて凹部壁を設定し、袖壁を設定する工程では、袖壁を残存外壁の延在方向に沿って凹部壁から突設させるように袖壁を設定してもよい。
【０００９】
凹部壁を残存床スラブの端縁から建物本体の内側へ後退させて、袖壁を残存外壁の延在方向に沿って凹部壁から突設させるように設定するので、凹部壁に設定された開口部を建物本体の内側へ後退させることでプライバシーがより確保されやすくなる。
【００１０】
また、建物の設計方法において、開口部を設定する工程では、残存外壁に内接するように、且つ、凹部壁の略全高に亘って、開口部を設定してもよい。これにより、袖壁が連接された残存外壁の内側に接するように開口部を配置することで、プライバシーを確保することができる。また、凹部壁の略全高に亘って開口部を設定することによって、採光、通風を確保することができる。
【００１１】
また、建物の設計方法において、残存床スラブの外形に対応した凹凸形状の外形を有する屋根を設定する工程を更に備えていてもよい。これにより、欠損部の上方に屋根が配置されず、欠損部が屋根に覆われないようにすることで、採光がより確保されやすくなる。
【００１２】
また、本発明は、上記の建物の設計方法に基づいて設計され建築された建物を提供する。これにより、基本外郭の出隅部を含む矩形状の欠損部、又は、基本外郭の隣接する一対の出隅部を含む矩形状の欠損部、又は、基本外郭の外周の中間部を含む矩形状の欠損部、又は、基本外郭の出隅部及び入隅部を含むＬ字状の欠損部が設定され、設定された欠損部が基本外郭から取り除かれ、取り除かれた欠損部に隣接する凹部壁に開口部が設けられ、更に欠損部を覆うように袖壁が設けられた建物を提供することができる。そのため、採光、通風、眺望を確保しつつプライバシーを確保することが可能な建物を実現することができる。
【発明の効果】
【００１３】
本発明の建物の設計方法によれば、採光、通風、眺望を確保しつつも、プライバシーを確保することができる建物を容易に設計することができる。また、本発明は、採光、通風、眺望を確保しつつも、プライバシーを確保することが可能な建物を提供することができる。
【図面の簡単な説明】
【００１４】
【図１】本発明の第１実施形態に係る建物の基本外郭を示す平面図である。
【図２】基本外郭の出隅部、中間部、及び入隅部に設定された欠損部の配置を示す平面図である。
【図３】残存外周部に連接するように設定された袖壁の配置を示す平面図である。
【図４】袖壁に対して直交する外周壁に設定された開口部の配置を示す平面図である。
【図５】本発明の第２実施形態に係る建物の基本外郭を示す平面図である。
【図６】基本外郭の出隅部に設定された欠損部を示す平面図である。
【図７】残存外周部に連接するように設定された袖壁の配置を示す平面図である。
【図８】袖壁に対して直交する外周壁に設定された開口部の配置を示す平面図である。
【図９】第２実施形態に係る建物の外観を示す斜視図である。
【発明を実施するための形態】
【００１５】
以下、図面を参照しつつ、本発明に係る建物の設計方法、及び建物の実施形態について詳細に説明する。
【００１６】
（第１実施形態）
本実施形態の設計方法で設計される建物２０（図４参照）は、例えば、陸屋根形式の３階建ての工業化住宅であり、鉄骨造の軸組架構と、ＡＬＣ（軽量気泡コンクリート）パネル等の板状の外装材の組み合わせによって構成された外壁及び袖壁とを有する。各階の外周壁（一方の面が外部に面し他方の面が建物内部に面する壁）２２の内側に、室内空間が設けられる。なお、本実施形態では代表して３階建て建物の３階部分の設計方法について説明するが、１階部分あるいは２階部分についても同様の方法で設計することが可能である。
【００１７】
建物２０の設計方法では、図１に示される基本外郭２を設定する工程として、敷地１内に建物２０の外郭の基本となる基本外郭２を設定する。基本外郭２は、外形が多角形である基本床スラブ３と、この基本床スラブ３の外周に沿って延在する基本外壁４とからなる。
【００１８】
敷地１は、例えば、四角形の四隅のうちの二つの角部が、Ｌ字状に取り除かれた形状を有し、敷地１の隣り合う辺１ａは直交し、対向する辺１ａは平行に配置されている。敷地１は、角部が直角である多角形であるが、角部の角度は、４５度でもよく、その他の角度でもよい。
【００１９】
基本外郭２の外周２ａは、敷地１の形状に対応した多角形であり、敷地１とは略相似の関係を成している。基本外郭２の外周２ａは、敷地１の内側で、敷地１の外周と平行に配置されている。
【００２０】
基本外郭２を設定した後に、図２に示すように、基本外郭２から取り除かれる部分である欠損部５Ａ〜５Ｄを設定する工程を行う。欠損部５Ａ〜５Ｄを設定する工程では、基本外郭２の出隅部２ｂを含む矩形状の欠損部５Ａや、基本外郭２の隣接する一対の出隅部２ｂを含む矩形状の欠損部５Ｂや、基本外郭２の外周２ａの中間部である直線部２ｄを含む矩形状の欠損部５Ｃや、基本外郭２の出隅部２ｂ及び入隅部２ｃを含むＬ字状の欠損部５Ｄを設定する。図２では、欠損部５Ａ〜５Ｄとして取り除かれる部分にハッチングが付されている。
【００２１】
欠損部５Ａ〜５Ｄを設定する工程では、基本外郭２の外周２ａの一部を含み、外周２ａを分断するように、且つ切り取り線が基本外郭２の外周２ａを構成する直線に対して直交するように欠損部５Ａ〜５Ｄが設定される。欠損部５Ａ〜５Ｄは、外方に隣接する他の建物がなく、採光、通風、眺望などが効果的に得られる位置に設定される。
【００２２】
基本外郭２に対して欠損部５Ａ〜５Ｄを設定した後、欠損部５Ａ〜５Ｄに対応する領域を基本外郭２から取り除く工程を実行する。図３では、欠損部５Ａ〜５Ｄが取り除かれた後の基本外郭２が図示され、欠損部５Ａが取り除かれたあとの切り口の形状は平面視Ｌ字状を成し、欠損部５Ｂが取り除かれたあとの切り口の形状は平面視Ｉ字状を成し、欠損部５Ｃ，５Ｄが取り除かれたあとの切り口の形状は平面視コ字状を成している。基本床スラブ３及び基本外壁４から欠損部５Ａ〜５Ｄに対応する領域が取り除かれて、残存床スラブ６及び残存外壁７が設定される。分断された残存外壁７は、直線状に設定されてもよく、Ｌ字状に設定されてもよい。
【００２３】
残存外壁７を設定した後に、袖壁８を設定する工程として、残存外壁７の端部７ａに連接するように、且つ、残存外壁７に対して同一直線上で外方に張り出す袖壁８を設定する。袖壁８は軸組架構をサンドイッチするように両面が外装材で仕上げられた壁であり、一方の外面が残存外壁７の外面に対して面一状態で連続するように設定される。
【００２４】
残存床スラブ６を設定した後に、凹部壁９を設定する工程として、欠損部５Ａ〜５Ｄに隣接する端縁６ａに沿って、あるいは端縁６ａに対して平行であり内側に配置された後退線６ｂに沿って、図４に示すように、残存外壁７と共に建物の外周壁２２を構成する凹部壁９を設定する。凹部壁９は、隣り合う残存外壁７に対して直交するように設定される。凹部壁９の端部は、隣り合う残存外壁７の端部７ａに一致させる、あるいは隣り合う残存外壁７の中間部に連続させる。
【００２５】
凹部壁９を設定した後に、開口部１０を設定する工程として、袖壁８に対して直交する凹部壁９に、開口部１０を設定する。開口部１０は、凹部壁９が延在する方向において、部分的に設定されてもよく、全体的に設定されてもよい。開口部１０は、例えば窓、出入口などが配置される部分である。
【００２６】
また、凹部壁９を端縁６ａより後退した後退線６ｂに沿って設定した場合には、既に設定されている袖壁８の他方の面の外壁を凹部壁９まで延長する。これにより、残存外壁７のうち、外周壁２２を構成しない部分、すなわち凹部壁９との交点より外側の部分の構成が、袖壁８と同様の構成となり、袖壁８と凹部壁９とが連続する。
【００２７】
また、開口部１０を設定する工程では、残存外壁７に内接するように、且つ、凹部壁９の略全高に亘る（より正確には、室内の床面近傍から天井面近傍に亘る）開口部１０を設定する。
【００２８】
残存床スラブ６を設定した後に、屋根を設定する工程として、残存床スラブ６の外形に対応した屋根を設定する。例えば、残存床スラブ６の外形と一致する外形を有する屋根を設定する。なお、屋根の外形の一部が、残存床スラブ６の外形と一致していないものでもよい。例えば、端縁６ａよりも内側に設定された後退線６ｂに沿って残存床スラブ６の外形が設定されている場合に、後退線６ｂに沿うように屋根の外形を設定してもよく、また、端縁６ａと後退線６ｂの中間に屋根の先端が配置されるように設定してもよい。
【００２９】
このように設定された残存床スラブ６を、実際に建築される建物の床スラブとして設計し、残存外壁７及び凹部壁９を実際に建築される建物２０の外周壁２２として設計する。また、残存外壁７に適宜、開口部１０を設定して、この開口部１０に窓、出入口などを設定する。
【００３０】
また、残存床スラブ６の領域のうち、外周壁２２の外側に位置する領域はベランダとして利用することができ、その際は適当な位置に転落防止用の手摺を配置する。
【００３１】
実際に建築される建物２０の床スラブ２１、外周壁２２、袖壁８、開口部１０などの配置を決定した後に、建物内部の間取りを決定するとともに、柱、梁などの軸組架構の配置を決定して構造計算を行う。
【００３２】
次に建物２０の設計方法に基づいて設計されて建築された建物について説明する。図４に示される建物２０は、上記の設計方法によって設計されたものであり、建物本体の床面を構成する床スラブ２１、及び床スラブ２１の外周に沿って延在する外周壁２２を備えている。床スラブ２１は、上記の設計方法で設計された残存床スラブ６の外形に一致し、外周壁２２は、上記の設計方法で設計された残存外壁７及び凹部壁９に沿って設けられている。建物２０の外周壁２２は、凹部壁９の開口部１０に窓、出入口などが配置されている。
【００３３】
建物２０は、上記の設計方法で設計された複数の袖壁８を備え、袖壁８は、残存外壁７の端部７ａと連接されている。なお、袖壁８は残存外壁７の端部７ａのすべてに連接させる必要はなく、プライバシーの確保上必要と思われる部位に必要な長さで配置すればよい。
【００３４】
このような建物の設計方法によれば、基本外郭２の出隅部２ｂを含む矩形の欠損部５Ａや、基本外郭２の隣接する一対の出隅部２ｂを含む矩形状の欠損部５Ｂや、基本外郭２の外周の中間部である直線部２ｄを含む矩形状の欠損部５Ｃや、基本外郭２の出隅部２ｂ及び入隅部２ｃを含むＬ字状の欠損部５Ｄを設定し、設定された欠損部５Ａ〜５Ｄを基本外郭２から取り除くと共に、欠損部５Ａ〜５Ｄに面する位置に開口部１０を設けることで、開口部１０の外側に開放的な空間が形成されるので、採光、通風、眺望を確保することが可能な建物を容易に設計することができる。更に、開口部１０を側方から覆うように袖壁８を設定することで、採光、通風、眺望を確保しつつプライバシーを確保することが可能な建物を容易に設計することができる。
【００３５】
また、残存床スラブ６の端縁６ａから基本外郭２の内側へ後退させた位置の後退線６ｂに沿って延在する凹部壁９を設定するので、開口部１０が設けられる凹部壁９を建物本体の内側へ後退させてプライバシーをより確保しやくすることができる。
【００３６】
また、開口部１０を、残存外壁７に内接するように、且つ、凹部壁９の略全高に亘って設定することができるので、袖壁８が連接した残存外壁７に、開口部１０を内接させることでプライバシーが確保され、凹部壁９の略全高に亘って開口部が設定されることによって、採光、通風が確保できる。
【００３７】
また、残存床スラブ６の外形に対応した凹凸形状の外形を有する屋根が設計されるので、欠損部５Ａ〜５Ｄの上方に屋根が配置されず、欠損部５Ａ〜５Ｄが屋根に覆われないようにすることができ、採光がより確保されやすくなる。
【００３８】
このような設計方法に基づいて設計され建築された建物２０によれば、基本外郭２の出隅部２ｂを含む矩形の欠損部５Ａや、基本外郭２の隣接する一対の出隅部２ｂを含む矩形状の欠損部５Ｂや、基本外郭２の外周の中間部である直線部２ｄを含む矩形状の欠損部５Ｃや、基本外郭２の出隅部２ｂ及び入隅部２ｃを含むＬ字状の欠損部５Ｄが設定され、設定された欠損部５Ａ〜５Ｄが基本外郭２から取り除かれ、取り除かれた欠損部５Ａ〜５Ｄに隣接する凹部壁９に開口部１０が設けられ、更に開口部１０を側方から覆うように袖壁８が設けられるので、採光、通風、眺望を確保しつつプライバシーを確保することができる。
【００３９】
（第２実施形態）
第２実施形態に係る建物の設計方法について図５〜図９を参照して説明する。なお、上記の第１実施形態と同じ説明は省略する。本実施形態では代表して３階建ての建物の２階部分の設計方法について説明するが、１階部分あるいは３階部分についても同様の方法で設計することが可能である。
【００４０】
まず、図５に示されるように矩形の敷地５１内に矩形の基本外郭５２を設定する。この基本外郭５２は外形が矩形である基本床スラブ５３と、この基本床スラブ５３の外周に沿って延在する基本外壁５４とからなる。
【００４１】
基本外郭５２を設定した後に、図６に示されるように、基本外郭５２から取り除かれる部分である欠損部５５Ａを設定する工程を行う。欠損部５５Ａを設定する工程では、基本外郭５２の出隅部５２ｂを含む矩形状の欠損部５５Ａを設定する。図６では、欠損部５５Ａとして取り除かれる部分にハッチングが付されている。
【００４２】
欠損部５５Ａを設定する工程では、基本外郭５２の外周二辺の一部を含み、外周を分断するように、且つ切り取り線が基本外郭５２の外周を構成する直線に対して直交するように欠損部５５Ａが設定される。欠損部５５Ａは、採光、通風、眺望などが効果的に得られるように隣接する他の建物がない位置に設定される。
【００４３】
基本外郭５２に対して欠損部５５Ａを設定した後、欠損部５５Ａに対応する領域を基本外郭５２から取り除く工程を実行する。図７では、欠損部５５Ａが取り除かれた後の基本外郭５２が図示され、欠損部５５Ａが取り除かれたあとの切り口の形状は平面視Ｌ字状を成している。基本床スラブ５３及び基本外壁５４から欠損部５５Ａに対応する領域が取り除かれて、基本床スラブ５３及び基本外壁５４から残存する残存床スラブ５６及び残存外壁５７が設定される。分断された残存外壁５７は、直線状に設定されてもよく、Ｌ字状に設定されてもよい。
【００４４】
残存外壁５７を設定した後に、袖壁５８を設定する工程として、残存外壁５７の端部５７ａに連接するように、且つ、残存外壁５７に対して同一直線上で外方に張り出す袖壁５８を設定する。袖壁５８は軸組架構をサンドイッチするように両面が外装材で仕上げられた壁であり、一方の外面が残存外壁５７の外面に対して面一状態で連続するように設定される。
【００４５】
残存床スラブ５６を設定した後に凹部壁５９を設定する工程として、欠損部５５Ａに隣接する端縁５６ａに対して平行であり内側に配置された後退線５６ｂに沿って、図８に示すように、残存外壁５７と共に建物の外周壁７２を構成する凹部壁５９を設定する。凹部壁５９は、隣り合う残存外壁５７に対して直交するように設定される。凹部壁５９の端部は、隣り合う残存外壁５７の端部５７ａに一致させる、あるいは隣り合う残存外壁５７の中間部に連続させる。凹部壁５９は平面視Ｌ字状に配置されている。
【００４６】
凹部壁５９を設定した後に、開口部６０を設定する工程として、袖壁５８に対して直交する凹部壁５９に開口部６０を設定する。開口部６０は、凹部壁５９が延在する方向において、部分的に設定されてもよく、全体的に設定されてもよい。開口部６０は、例えば窓、出入口などが配置される部分である。
【００４７】
また、凹部壁５９を端縁５６ａより後退した後退線５６ｂに沿って設定した場合には、既に設定されている袖壁５８の他方の面の外壁を凹部壁５９まで延長する。これにより、残存外壁５７のうち、外周壁７２を構成しない部分、すなわち凹部壁５９との交点より外側の部分の構成が、袖壁５８と同様の構成となり、袖壁５８と凹部壁５９とが連続する。
【００４８】
また、開口部６０を設定する工程では、残存外壁５７に内接するように、且つ、凹部壁５９の略全高に亘る（より正確には、室内の床面近傍から天井面近傍に亘る）開口部６０を設定する。
【００４９】
残存床スラブ５６を設定した後に、屋根を設定する工程として、残存床スラブ５６の外形に対応した屋根を設定する。例えば、残存床スラブ５６の外形と一致する外形を有する屋根を設定する。なお、屋根の外形の一部が、残存床スラブ５６の外形と一致していないものでもよい。例えば、端縁５６ａよりも内側に設定された後退線５６ｂに沿って残存床スラブ５６の外形が設定されている場合に、後退線５６ｂに沿うように屋根の外形を設定してもよく、また、端縁５６ａと後退線５６ｂの中間に屋根の先端が配置されるように設定してもよい。
【００５０】
このように設定された残存床スラブ５６を、実際に建築される建物の床スラブとして設計し、残存外壁５７及び凹部壁５９を実際に建築される建物７０の外周壁７２として設計する。また、残存外壁５７に適宜、開口部を設定して、この開口部に窓、出入口などを設定する。また、残存床スラブ５６の領域のうち、外周壁７２の外側に位置する領域はベランダとして利用することができ、その際は適当な位置に転落防止用の手摺を配置する。
【００５１】
実際に建築される建物７０の床スラブ７１、外周壁７２、袖壁５８、開口部６０などの配置を決定した後に、建物内部の間取りを決定するとともに、柱、梁などの軸組架構の配置を決定して構造計算を行う。
【００５２】
図８に示される建物７０は、上記の設計方法によって設計されたものであり、建物本体の床面を構成する床スラブ７１、及び床スラブ７１の外周に沿って延在する外周壁７２を備えている。床スラブ７１は、上記の設計方法で設計された残存床スラブ５６の外形に一致し、外周壁７２は、上記の設計方法で設計された残存外壁５７及び凹部壁５９に沿って設けられている。建物７０の外周壁７２は、凹部壁５９の開口部６０に窓、出入口などが配置されている。
【００５３】
建物７０は、上記の設計方法で設計された複数の袖壁５８を備え、袖壁５８は、残存外壁５７と凹部壁５９とが交差する出隅部である外周壁７２の角部７２ａから持ち出されている。
【００５４】
このような第２実施形態の建物の設計方法によれば、基本外郭５２の出隅部５２ｂを含む矩形の欠損部５５Ａを設定し、設定された欠損部５５Ａを基本外郭５２から取り除くと共に、欠損部５５Ａに面する位置に開口部６０を設けることで、開口部６０の外側に開放的な空間が形成されるので、採光、通風、眺望を確保することが可能な建物を容易に設計することができる。更に、開口部６０を側方から覆うように袖壁５８を設定することで、採光、通風、眺望を確保しつつプライバシーを確保することが可能な建物を容易に設計することができる。
【００５５】
また、残存床スラブ５６の端縁５６ａから基本外郭５２の内側へ後退させた位置の後退線５６ｂに沿って延在する凹部壁５９を設定するので、開口部６０が設けられる凹部壁５９を建物本体の内側へ後退させてプライバシーをより確保しやくすることができる。
【００５６】
また、開口部６０を、残存外壁５７に内接するように、且つ、凹部壁５９の略全高に亘って設定することができるので、袖壁５８が連接した残存外壁５７に、開口部６０を内接させることでプライバシーが確保され、凹部壁５９の略全高に亘って開口部６０が設定されることによって、採光、通風が確保できる。
【００５７】
また、残存床スラブ５６の外形に対応した凹凸形状の外形を有する屋根が設計されるので、欠損部５５Ａの上方に屋根が配置されず、欠損部５５Ａが屋根に覆われないようにすることができ、採光がより確保されやすくなる。
【００５８】
このような設計方法に基づいて設計され建築された建物７０によれば、基本外郭５２の出隅部５２ｂを含む矩形の欠損部５５Ａが設定され、設定された欠損部５５Ａが基本外郭５２から取り除かれ、取り除かれた欠損部５５Ａに隣接する凹部壁５９に開口部６０が設けられ、更に開口部６０を側方から覆うように袖壁５８が設けられた建物７０を実現することができるので、採光、通風、眺望を確保しつつプライバシーを確保することができる。
【００５９】
本発明は、上述した実施形態に限定されるものではない。上記の実施形態では、建物を住宅として説明しているが、建物は住宅に限定されず、事務所、店舗、工場、病院、公共施設など、その他の建物でもよい。
【００６０】
上記実施形態では、角部の角度が直角である多角形の基本床スラブ３，５３としているが、例えば４５度などその他の角度を有する多角形の基本床スラブ３，５３でもよい。
【符号の説明】
【００６１】
１，５１…敷地
２，５２…基本外郭
３，５３…基本床スラブ
４，５４…基本外壁
５Ａ〜５Ｃ，５５Ａ…矩形状の欠損部
５Ｄ…Ｌ字状の欠損部
６，５６…残存床スラブ
６ａ，５６ａ…端縁
６ｂ，５６ｂ…後退線
７，５７…残存外壁
８，５８…袖壁
９，５９…凹部壁
１０，６０…開口部
２０，７０…建物
【図１】
2014214520.tif 000003
【図２】
2014214520.tif 000004
【図３】
2014214520.tif 000005
【図４】
2014214520.tif 000006
【図５】
2014214520.tif 000007
【図６】
2014214520.tif 000008
【図７】
2014214520.tif 000009
【図８】
2014214520.tif 000010
【図９】
2014214520.tif 000011